(57)【要約】【課題】雨量計の設置場所の数を容易に増やしていくことができ、欲しい地点についての正確な情報入手を容易に実現することができる雨量データ収集システムを提供する。【解決手段】雨樋６の竪樋５を流下する雨水の量を計測する雨量計７と、該雨量計７からの計測信号を受け取るホームサーバとが備えられた多数の建物が形成され、各建物のホームサーバと通信接続されたセンターサーバが、各建物において計測された雨量データを建物の位置情報及び時間情報と関連付けて収集、記憶するようになされている。【選択図】      図１
2010203995.tif 000002
【特許請求の範囲】
【請求項１】
雨樋の竪樋を流下する雨水の量を計測する雨量計と、該雨量計からの計測信号を受け取るホームサーバとが備えられた多数の建物が形成され、各建物のホームサーバと通信接続されたセンターサーバが、各建物において計測された雨量データを建物の位置情報及び時間情報と関連付けて収集、記憶するようになされていることを特徴とする雨量データ収集システム。
【請求項２】
前記雨量計が、雨樋構成部品に組み込まれて備えられたものからなり、該雨樋構成部品を用いて雨樋を形成することで、同時に雨量計が雨樋に組み込まれるようになされている請求項１に記載の雨量データ収集システム。
【請求項３】
前記雨量計が転倒升方式の雨量計からなり、該雨量計が雨樋の竪樋内に設置され、竪樋内を流下する雨水を転倒升が受けるようになされている請求項１又は２に記載の雨量データ収集システム。
【発明の詳細な説明】
【技術分野】
【０００１】
本発明は、雨量データ収集システムに関する。
【背景技術】
【０００２】
気象庁のアメダスは専用の計測器を全国約１３００箇所に設けて気象観測を行っている。
【先行技術文献】
【特許文献】
【０００３】
【特許文献１】特開２００６−２２６７２０号公報
【特許文献２】特開２０００−３５２５３３号公報
【特許文献３】特開２００２−３５０５６０号公報
【特許文献４】特開２００４−１３３８４９号公報
【特許文献５】特開２００７−２４９４７４号公報
【発明の概要】
【発明が解決しようとする課題】
【０００４】
しかしながら、アメダスでは、計測器を設置場所が限定され、そのため、計測器の数が少なく、欲しい地点の正確な情報を入手するのが難しいと共に、計測器の設置に専門技術を必要とするという問題がある。
【０００５】
本発明は、上記のような問題点に鑑み、雨量計の設置場所の数を容易に増やしていくことができ、欲しい地点についての正確な情報入手を容易に実現することができる雨量データ収集システムを提供することを課題とする。
【課題を解決するための手段】
【０００６】
上記の課題は、雨樋の竪樋を流下する雨水の量を計測する雨量計と、該雨量計からの計測信号を受け取るホームサーバとが備えられた多数の建物が形成され、各建物のホームサーバと通信接続されたセンターサーバが、各建物において計測された雨量データを建物の位置情報及び時間情報と関連付けて収集、記憶するようになされていることを特徴とする雨量データ収集システムによって解決される（第１発明）。
【０００７】
このシステムでは、センターサーバが収集、記憶する雨量データの対象を、建物の雨樋の竪樋を流下する雨水の量としていることにより、建物の新築工事や外装のリフォーム工事、雨樋の修理や点検工事等において、雨量計を容易に組み込むことができて、雨量計の設置場所の数を容易に増やしていくことができ、欲しい地点についての正確な情報入手を容易に実現することができる。
【０００８】
第１発明において、前記雨量計が、雨樋構成部品に組み込まれて備えられたものからなり、該雨樋構成部品を用いて雨樋を形成することで、同時に雨量計が雨樋に組み込まれるようになされているとよい（第２発明）。この場合は、雨樋構成部品を用いて雨樋を形成すれば、同時に雨量計が雨樋に組み込まれるようになされているので、建物への雨量計の設置を容易に行うことができる。
【０００９】
第１，第２発明において、前記雨量計が転倒升方式の雨量計からなり、該雨量計が雨樋の竪樋内に設置され、竪樋内を流下する雨水を転倒升が受けるようになされているとよい（第３発明）。この場合は、雨量計を雨樋に対してコンパクトに組み込むことができて雨樋の納まりを外観上スッキリとしたものにすることができ、しかも、竪樋内での雨量の計測を精度の高いものにすることができると共に、雨水を竪樋内でスムースに流下させ排出することができる。
【発明の効果】
【００１０】
本発明の雨量データ収集システムは、以上のとおりのものであるから、雨量計の設置場所の数を容易に増やしていくことができ、欲しい地点についての正確な情報入手を容易に実現することができる。
【図面の簡単な説明】
【００１１】
【図１】実施形態の雨量データ収集システムを示すもので、図（イ）は建物の斜視図、図（ロ）は雨量計の内設された竪樋パイプの斜視図、図（ハ）はシステムの全体構成を示す説明図である。
【発明を実施するための形態】
【００１２】
次に、本発明の実施形態を図面に基づいて説明する。
【００１３】
図１（ハ）に示す実施形態の雨量データ収集システムにおいて、１…は建物、２はセンターサーバであり、建物１…は、戸建住宅や集合住宅、店舗用建物、事務所用建物などからなっている。
【００１４】
各建物１…には、図１（イ）に示すように、例えば４０ｍ2の広さの屋根面３で受けた雨水を軒樋４が受け、竪樋５を通じて流下させるようになされた雨樋６が備えられ、図１（イ）（ロ）に示すように、竪樋５には、雨量計７が組み込まれている。
【００１５】
雨量計７は、図１（ロ）に示すように、転倒升方式のものからなっていて、雨樋構成部品としての所定の長さの分割竪樋パイプ５ａに内設されている。即ち、分割竪樋パイプ５ａの内部には、その上端側に異物捕獲用のメッシュ８が設けられると共に、その下方に漏斗のかたちをした雨水受け９が設けられ、その下方に、転倒升１０がシーソー動作可能に備えられており、メッシュ８によって異物を除去された雨水が受け９に受けられ、該受けから垂れ落ちる雨水で転倒升１０がシーソー動作を繰り返すようになされており、この繰り返し数がカウントセンサー１１でカウントされるようになされている。
【００１６】
雨樋６は、このようにして雨量計７が内設された雨樋構成部品である分割竪樋パイプ５ａを用い、例えば、図１（イ）に示すように、この分割竪樋パイプ５ａの上端部を軒樋４に接続し、下端部に通常の竪樋パイプ５ａを接続するというようにして形成されている。
【００１７】
そして、雨量計７のカウントセンサー１１からの配線１２は、建物１の外壁等に設けられた入線口１３を通じて屋内に延ばされ、屋内に設置されたホームサーバ１４に接続され、このホームサーバ１４が、図１（ハ）に示すように、インターネット網等の通信回線を通じてセンターサーバ２に接続されて、センターサーバ２が、各建物１…において上記のような方式で計測された雨量データを建物１…の位置情報及び時間情報と関連付けて収集、記憶するようになされている。
【００１８】
なお、雨量データは、例えば、各建物１…に備えられたホームサーバ１４において、計算によって、転倒升１０の転倒回数、屋根面積（ｍ2）、計測時間（ｈ）などから求められる降水量（ｍｍ／ｈ）というかたちにされ、それを、センターサーバ２が受信するようになされる。
【００１９】
センターサーバ２に収集、記憶された雨量データの情報は、ゲリラ豪雨の直前予測などを含む雨情報提供サービスによって有償あるいは無償で一般に公開されるようにするなど、種々の用い方をすることができるのはいうまでもない。
【００２０】
例えば、図１（ハ）に示すように、黒塗りの建物１ａから半径３０ｋｍの範囲内にある建物、例えばハッチングを施した建物１ｂにおいて、特定の設定降水量を越える雨量データがセンターサーバ２に入力されたとき、センターサーバ２から黒塗りの建物のホームサーバに警戒情報信号が送られ、その建物に備えられた表示パネルに警戒表示なされたり、スピーカーから音声などによる警戒音が発せられたり、また、センターサーバ２やホームサーバ１４からその建物の住人の携帯電話に警戒メールが送信されたりするようになされているのもよい。その場合に、黒塗りの建物から距離や設定降水量は、黒塗りの建物に設置されているホームサーバ１４からセンターサーバ２に登録することができるようになされているのもよい。
【００２１】
上記のシステムによれば、センターサーバ２が収集、記憶する雨量データの対象を、建物１…の雨樋６の竪樋５を流下する雨水の量としていることにより、建物の新築工事や外装のリフォーム工事、雨樋の修理や点検工事等において、雨量計７を容易に組み込むことができて、雨量計の設置場所の数を容易に増やしていくことができ、欲しい地点についての正確な情報入手を容易に実現することができる。
【００２２】
また、本実施形態では、雨量計７が、雨樋６を構成する分割竪樋パイプ５ａ内に組み込まれて備えられており、該分割竪樋パイプ５ａを用いて雨樋６を形成することで、同時に雨量計７が雨樋６に組み込まれるようになされているので、建物１…への雨量計７の設置を容易に行うことができる。
【００２３】
更に、雨量計７が転倒升方式のものからなり、それが雨樋６の竪樋５内に設置され、竪樋５内を流下する雨水を転倒升１０が受けるようになされているので、雨量計７を雨樋６に対してコンパクトに組み込むことができて各建物１…における雨樋６の納まりを外観上スッキリとしたものにすることができ、しかも、竪樋内での雨量の計測を精度の高いものにすることができると共に、雨水を竪樋内でスムースに流下させ排出することができる。
【符号の説明】
【００２４】
１…建物
２…センターサーバ
５…竪樋
５ａ…分割竪樋パイプ
６…雨樋
７…雨量計
１０…転倒升
１４…ホームサーバ
【図１】
2010203995.tif 000003